(57)【特許請求の範囲】
【請求項１】
機裏側に装備された機構セット盤(C)における球貯留排出経路部(4)内の貯留球を、遊技盤内でのパチンコゲームの入賞成立に対して球払出し部(35)の作動毎に所定数の賞球として球皿側へ払出し得る一方、球抜き操作による切換え排出部(47)の切換え作動および球払出し部(35)の払出し解放作動により戻し球として機外へ抜出し得るパチンコ遊技機にあって、
前記機構セット盤(C)に着脱自在にセットされたケース体(26)内に、前記球貯留排出経路部(4)に連絡された前記球払出し部(35)と、この球払出し部(35)の下部に装備した前記切換え排出部(47)とが組付けられると共に、前記球払出し部(35)および球皿側の賞球路(5)に連絡される斜状の払出し路(30)と、この払出し路(30)の中央部から分岐して球抜き路(9)側へ連絡される斜状の戻し路(31)とを、逆Ｙの字状に連通するように該ケース体(26)に区画形成してユニット化され、
前記切換え排出部(47)における切換え弁(52)を、前記払出し路(30)と前記戻し路(31)との分岐連絡部位に組込んで払出し位置と戻し位置とに切換え保持可能に設定され、
前記切換え弁(52)に、弾性変形可能な薄肉帯状の案内防止片(55)が着脱交換可能に取着され、
前記案内防止片(55)は、その上端部の両側に形成した係着片(55a,55a)を折曲して切換え弁(52)における前記払出し路(30)に臨む面を挟んで両側に把持係着すると共に、該切換え弁(52)における前記払出し路(30)に臨む面を覆う中央部をビス着して、下半部が該切換え弁(52)の下部から払出し路(30)内に延出してその出口面を閉遮するように配設され、
前記ケース体(26)における前記払出し路(30)の出口側には、前記案内防止片(55)の下端を係脱可能に係止する係止部(56)が形成されて、該係止部(56)の上側への係止状態において案内防止片(55)が払出し路(30)にのみに延在するように保持されると共に、係止部(56)から外れた状態において案内防止片(55)が払出し路(30)および賞球路(5)内に亘り斜状延出状態で保持され、
前記案内防止片(55)は、前記球払出し部(35)から払出し路(30)に通入した払出し球を受けて球皿側に通出案内し得る一方、前記球皿側から裏側へ不正侵入操作される不正物(61)を侵入阻止して、前記球抜き操作時に本来の戻し位置に保持されるべき切換え弁(52)を払出し位置に不正拘束保持不能にした
ことを特徴とするパチンコ遊技機の貯留球不正獲得防止装置。
【請求項２】
前記ケース体(26)の下方には、賞球路(5)の一部を画成する円形の鈴(62)が配設されている請求項１記載のパチンコ遊技機の貯留球不正獲得防止装置。
【請求項３】
前記切換え排出部(47)は、前記払出し路(30)および戻し路(31)の蓋板を兼用する１枚の仕切り板(34)に、前記切換え弁(52)と、球抜き用検出入力に基づいて電気制御装置(22)により駆動制御されて、駆動条件により切換え弁(52)を払出し位置と戻し位置に切換え保持する電磁ソレノイド(48)とを組付けることで、仕切り板単位で構成される請求項１または２記載のパチンコ遊技機の貯留球不正獲得防止装置。
【発明の詳細な説明】
【０００１】
【発明の属する技術分野】
この発明は、パチンコ遊技機の貯留球不正獲得防止装置に係り、更に詳しくは、機裏側に貯留したパチンコ球を、パチンコゲームの入賞成立に対する賞球として球皿側へ払出し得る一方、球抜き操作により戻し球(返し球)として機外へ抜出し得る遊技機において、戻し球として抜出された貯留球の不正な獲得を防止するようにした貯留球不正獲得防止装置に関するものである。
【０００２】
【従来の技術】
パチンコ機やアレンジボール機に代表されるこの種の遊技機では、遊技操作に基づいて開始される１球毎の球送り発射制御作動により、球皿から発射位置に送込まれた遊技球を遊技盤内に打出して所要のパチンコゲームを行ない得る。そして、このゲーム中の入賞条件(セーフ球の発生や入球による図柄組合わせの得点成立等)に対して、機裏側の球貯留排出経路部内に貯留された球が、賞球払出装置の払出し作動毎に所定数の賞球として払出されて、所定の賞球経路から上球皿および下球皿へ給出される。一方、遊技機の取扱いにより球貯留排出経路部内の相当量の貯留球を抜取る必要がある場合には、一般に前枠の正面側部に形成された操作孔から操作杆を挿入して機裏側の球抜き装置を作動させることにより、賞球経路と球抜き路との分岐連絡部に設けられた切換え弁を球抜き状態(球戻し位置)に保持したもとで、貯留球を球抜き路から機外の裏側へ放出し得るようになっている。なお操作杆は、針金状材に摘み部を付けた程度のものでホール管理者側で管理されるが、入手容易な直線材でも十分代用できる。
【０００３】
このようなパチンコ遊技機にあって、賞球の払出しとは別に、球抜き操作によりすべての貯留球を払出し可能にする形態として、一般に前記賞球払出装置では、入賞条件毎に対する電動具(ソレノイドやモータ)の駆動制御により、球経路に臨む球送り体を回転制御させながら賞球を払出してカウント検出する電動タイプが使用され、また前記球抜き装置では、前述の操作杆で作動されるスイッチの検出入力に基づく電磁ソレノイドの駆動制御により、前記切換え弁を球抜き(戻し)位置に切換え保持して抜出す電気タイプが使用されている。そして双方の装置の実施形態として、遊技盤点検用の窓口を設けた裏側の機構セット盤の側縁部において、賞球払出装置が球貯留排出経路部の下流部に合わせて設置され、また球抜き装置が賞球払出装置の下流に連通する賞球経路と球抜き路との分岐連絡部に設置されて、球抜き操作におけるスイッチの検出入力に基づいて、切換え弁の切換え保持および賞球払出装置の解放条件のもとで、抜出された全ての貯留球を放出し得るようになっている。
【０００４】
なお前記球抜き装置については、操作杆の他に、外枠から開放された前枠の裏側において、指先操作によりスイッチを操作検出できるようになっている。また双方の装置では、電子制御装置での球抜き制御処理として、前記スイッチの検出入力を１回だけ有効化し、球抜き作動後には正常な復旧処理として電源再投入または電子制御装置に係るリセット入力操作を行なう。そしてこの処理を行なわない限り、同スイッチの以後の検出入力を無効として球抜き不能に設定されている。このもとで、前記電動具および電磁ソレノイドが、球抜き用のスイッチの検出入力に対する電子制御装置でのタイマー設定条件に基づいて、所定時間経過後に自動復帰するように設定されている。
【０００５】
【発明が解決しようとする課題】
ところで近年のパチンコ遊技機では、機裏側の貯留球を賞球として払出すことの他に、遊技用の貸し球として払出し得ることが要求されていることに応えて、多くの場合前述した電動タイプの賞球払出装置が使用され、これに対応して前記球抜き装置が下部に組込まれている。このような実施形態にあっては、賞球と貸し球との区分払出しが容易に可能であり、またすべての貯留球の抜出しが可能であるとしても、貯留球の不正抜出し獲得を許してしまう大きな問題があった。すなわち現状において前記球抜き用のスイッチは、前記操作杆以外の針金状材でも簡単に操作検出されてしまい、この検出入力に基づいて双方の装置が球抜き状態と球払出し解放状態とに作動される。このため、遊技機の構成並びに両装置の形態等を熟知した不正者が、平常の遊技を装う姿勢で線状の不正物を上球皿に連絡する供給口から前記賞球経路内に侵入させて、巧みに操りながら上方部に位置する球抜き装置側へ挿入して切換え弁を払出し位置に拘束保持する。このもとで、前記スイッチを不正に検出作動させた場合には、すべての貯留球が球払出し解放状態の賞球払出装置から放出された後、前述の切換え弁により賞球経路へ排出されて上球皿または下球皿へ給出されてしまう。
【０００６】
従って、前述した電動タイプの賞球払出装置と球抜き装置とを併用形態で装備している多くのパチンコ遊技機にあっては、正常な球抜き操作により全ての貯留球を機外に抜出し得る便利な機能を有する反面、前述したような不正な球抜きによる獲得を許してしまう欠点を内在しており、これを好適に阻止できなかった。この結果、前記スイッチの１回の有効検出作動による不正抜出しだけを許すとしても、現実には数百個もの貯留球が抜出されてしまい、遊技機の台数が多くなれば到底軽視できない数量(金額分)の貯留球となって、ホール側が大きな被害を受ける問題があった。ちなみに前述した不正球抜きは、隣在の遊技者にも気付かれない程の内に巧みに行なわれしまい、ホール側ではコンピュータ管理による各台の稼働状況をチェックした後に異常を察知しているような現状にある。
【０００７】
【発明の目的】
本発明は、前述した課題を好適に解決するべく新規に提案されたもので、機裏側の球貯留排出経路部に連なる球払出し部の下流部位に装備された切換え排出部を、不正を目論む悪意な人為的操作では球払出し状態に保持できないようにして、機前側からの不正な球抜き行為による球留球の抜取り獲得を防止し得るようにしたパチンコ遊技機の貯留球不正獲得防止装置を提供することを目的とする。
【０００８】
【課題を解決するための手段】
前記課題を解決し、初期の目的を達成するため本発明は、
機裏側に装備された機構セット盤における球貯留排出経路部内の貯留球を、遊技盤内でのパチンコゲームの入賞成立に対して球払出し部の作動毎に所定数の賞球として球皿側へ払出し得る一方、球抜き操作による切換え排出部の切換え作動および球払出し部の払出し解放作動により戻し球として機外へ抜出し得るパチンコ遊技機にあって、
前記機構セット盤に着脱自在にセットされたケース体内に、前記球貯留排出経路部に連絡された前記球払出し部と、この球払出し部の下部に装備した前記切換え排出部とが組付けられると共に、前記球払出し部および球皿側の賞球路に連絡される斜状の払出し路と、この払出し路の中央部から分岐して球抜き路側へ連絡される斜状の戻し路とを、逆Ｙの字状に連通するように該ケース体に区画形成してユニット化され、
前記切換え排出部における切換え弁を、前記払出し路と前記戻し路との分岐連絡部位に組込んで払出し位置と戻し位置とに切換え保持可能に設定され、
前記切換え弁に、弾性変形可能な薄肉帯状の案内防止片が着脱交換可能に取着され、
前記案内防止片は、その上端部の両側に形成した係着片を折曲して切換え弁における前記払出し路に臨む面を挟んで両側に把持係着すると共に、該切換え弁における前記払出し路に臨む面を覆う中央部をビス着して、下半部が該切換え弁の下部から払出し路内に延出してその出口面を閉遮するように配設され、
前記ケース体における前記払出し路の出口側には、前記案内防止片の下端を係脱可能に係止する係止部が形成されて、該係止部の上側への係止状態において案内防止片が払出し路にのみに延在するように保持されると共に、係止部から外れた状態において案内防止片が払出し路および賞球路内に亘り斜状延出状態で保持され、
前記案内防止片は、前記球払出し部から払出し路に通入した払出し球を受けて球皿側に通出案内し得る一方、前記球皿側から裏側へ不正侵入操作される不正物を侵入阻止して、前記球抜き操作時に本来の戻し位置に保持されるべき切換え弁を払出し位置に不正拘束保持不能にしたことを特徴とする。
【０００９】
【作用】
球皿側に連絡される払出し路と球抜き路側へ連絡される戻し路との分岐連絡部位に切換え保持可能に設けられた切換え弁に、払出し路に延出する案内防止片が配設されている。切換え弁が払出し位置に保持される場合には、該切換え弁に取着した案内防止片が、払出し球を受けて通出案内し得る状態で払出し路に延出する。また、切換え弁が戻し位置に保持される場合には、該切換え弁に取着した案内防止片が、払出し路に円弧状に延出して該払出し路の出口面を実質的に閉遮する。従って、機前側での不正操作により不正物を球皿側から裏側へ侵入させて巧みに操っても、前記案内防止片により払出し路内への不正物の侵入が防御されるから、球抜き操作時に本来の戻し位置に保持されるべき切換え弁を払出し位置に拘束保持させることが不可能となり、戻し球として抜出される貯留球の不正な獲得を好適に防止し得る。
【００１０】
【発明の実施の形態】
次に、本発明に係るパチンコ遊技機の貯留球不正獲得防止装置について、好適な実施例を挙げて、添付図面を参照しながら、以下詳細に説明する。なお本実施例では、遊技球を１個ずつ遊技盤内に打出して遊技球の入賞ゲーム(アウト球とセーフ球との区分)を展開するタイプにあって、機裏側の貯留球を、入賞成立(セーフ球の発生)に対する賞球と、球貸しシステムを利用した遊技用の貸し球とに区分排出して球皿側へ供給し得るパチンコ機の場合を主に例示する。
【００１１】
先ず、図１に略示するパチンコ機および図２に略示する球処理部について要約説明すると、外枠Ａに組付けられた前枠Ｂの裏側に、夫々の球処理部を有する機構セット盤Ｃが着脱可能にセットされている。このセット盤Ｃでは、遊技盤点検用の窓口１の周囲において、アウト球用の排出路２とセーフ球用の処理路３が区画形成されている一方、賞球用の球貯留排出経路部４として、最上端の球タンク４ａと整列用の整流樋４ｂおよび減圧用の送出樋４ｃが順に連設されて、相当数のパチンコ球を貯留して送出し得るようになっている。また送出樋４ｃの下流端に、後述する本実施例の賞球排出装置Ｆが着脱可能にセットされており、この装置Ｆの出口下方に、上下の球皿(図示しない)側に連絡される第１,第２の賞球路５,７が形成され、第１の賞球路５の上流部から分岐された球抜き路９が下部外側に形成されて、前記排出路２および処理路３に連絡されている。なお、第１の賞球路５は供給口６を介して上球皿の上流部に連絡され、また第２の賞球路７は供給口６の側方から分岐されて前枠Ｂの下部裏側に取着された容器８を介して下球皿に連絡されている(図１および図２参照)。
【００１２】
前述した機構セット盤Ｃにおけるその余の構成として、図１および図２に略示するように、前記整流樋４ｂと送出樋４ｃとの直交連絡部位に、賞球単列化用の球送り整列部１０が装備され、また整流樋４ｂの所定位置に貯留球検出用のスイッチ１１が設置され、そして第２の賞球路７の途上に賞球充満検出機構１２が組込まれている。一方、送出樋４ｃの近傍に球抜き操作手段としてのレバー１３およびスイッチ１４が組付けられており、そして前記処理路３にセーフ球検出処理装置Ｄが着脱可能にセットされている。この装置Ｄでは、セーフ球を１個ずつ停留検出して賞球払出し後に解放通出する電動形態であって、図２および図３に例示するように、処理路３と連通する通路１６を形成した本体１５に、通路１６内のセーフ球を１個ずつ通過検出し得るスイッチ１７と、このスイッチ１７の上,下方に位置するストッパー部１８ａ,１８ｂを形成して、１回毎の処理作動によりセーフ球に対する拘束と解放とによる通入出規制を行なうレバー状の規制処理部材１８と、同部材１８を各規制状態に交互に切換え操作する電磁ソレノイド１９とを組付けて、全体が本体単位で構成・取扱い得るようになっている。なお図１中、２０は電源部(ＡＣ２４Ｖ)に接続されるターミナル基板、２１はゲーム内容を制御する第１電子制御装置、２２はセーフ球検出処理並びに賞球排出(払出しと球抜き)を制御する第２電子制御装置を夫々示す。
【００１３】
このような本実施例のパチンコ機は、遊技ホール内の設置枠台(通称「島」)の各区画枠内に前記球貸しシステムと共に設置されて縦向きで遊技に供される。この状態において、図示しないが、各列毎の設置枠台の補給設備における配球ユニットから必要時に供給される相当量のパチンコ球を、前記球貯留排出経路部４の球タンク４ａ内に受入れて各樋４ｂ,４ｃに収容しており、パチンコゲーム中に発生したセーフ球に対して所定数の賞球を払出し得る。一方球貸しシステムでは、前記スイッチ１１の球有り検出条件において、使用するカードの有効金額内における一定額単位に対して設定数球の貸出し制御をなすもので、カードリーダ２３およびカード挿入口等を有するカードユニットＥが外枠Ａ外側に装備されて(図１参照)、前枠Ｂの裏側下部に設置された中継制御部(インターフェースボードともいう)２４に、カードリーダ２３と上球皿側の球貸し操作部および前記第２電子制御装置２２が夫々接続されている。そして、カードリーダ２３の球貸し判読制御処理条件に応答して後述の賞球排出装置Ｆが作動されることにより、払出された貸し球が上球皿へ供給されるようになっている。
【００１４】
前述したパチンコ機に実施された貯留球不正獲得防止装置としての本実施例の賞球排出装置Ｆは、前記第２電子制御装置２２で制御作動されるもとで、セーフ球に対する賞球と遊技用の貸し球との区分排出並びに貯留球の抜出しの制御をなすと共に、不正球抜き獲得の防止をなし得るようにした電子制御作動形態のもので、図１および図２に略示するように、前記機構セット盤Ｃの設置部内に着脱可能にセットされている。この装置Ｆでは、基本的な構成として図４〜図８に示すように、縦長方形箱状にユニット化された合成樹脂製のケース体２６内に球通路を区画形成すると共に、この球通路に臨む部位に電動式の球払出し部３５と切換え排出部４７とを夫々組付けて、ケース体毎に取扱い得るようになっている。そして機構セット盤Ｃの設置部、つまり前記球貯留排出経路部４の送出樋４ｃ下端と、前記第１,第２の賞球路５,７および球抜き路９上端との間に形成された凹室部２５内にケース体２６単位で収容されて、球通路を各路４ｃ,５,７,９に整合連絡した状態でビス着セットされるようになっている。
【００１５】
このような賞球排出装置Ｆにおいて、前記ケース体２６は、凹室部２５内でビス着される１枚のベース板２６Ａにコの字形のカバー２６Ｂが組付けられており、このケース体２６内の上部に、１列の球入路２８を垂下状に形成した樋２７が組込まれて、ベース板２６Ａとカバー２６Ｂとにビス固定されている。そして、ベース板２６Ａの下部に形成された区画壁２９により、球入路２８および前記第１の賞球路５に連通される斜状の払出し路３０が形成され、この払出し路３０の中央部から前記球抜き路９に連通される斜状の戻し路３１が分岐して形成されて、ベース板２６Ａの下部に合わせてビス着された方形板サイズの仕切り板３４で両路３０,３１が覆蓋されている。なお、ベース板２６Ａの各部には組付け用のボスや台座等が配設されており、また払出し路３０と戻し路３１とは、図５に例示するように互いに逆Ｙの字状に連通されて、その分岐連絡口部の一端に後述する切換え弁５２用の逃し凹部３２が形成されている。一方樋２７の下部には、後述するセンサー用の検出孔３３,３３が、球１個分に適した間隔で形成されて球入路２８に臨んでいる。
【００１６】
そして、前述のケース体２６内に組込まれた前記球払出し部３５は、球貯留排出経路部４からの球を１個ずつ通入出検出するもので、図４〜図８に例示するように、ベース板２６Ａの支持部３６に軸支持された回転スプロケット状の球送り体３７と、球送り体３７の回転・停止規制をなす規制片４１の切換え作動源である電磁ソレノイド３９と、第１,第２検出具４３,４４とを備えている。そして球送り体３７は、外周に形成した受け部３８(図示６個)を球入路２８内に臨ませて、１個ずつの球を受けて回転により放出し得る。また電磁ソレノイド３９は、図示のフラッパー形式例において、ベース板２６Ａに固定された金属製の支枠４０にコイルを巻回した磁力発生部(ボビンともいう)３９Ａを装着し、通電時に発生された励磁力を磁着部３９ａに集中的に作用し得、これに対して規制片４１は、支枠４０の一端に傾動可能に支持されてバネ４２で付勢され、磁着部３９ａとバネ４２を利用して球送り３７の受け部３８を係合停止,離隔解放するようになっている。一方、第１,第２検出具４３,４４は、互いに１球分の検出間隔で配置されて球入路２８に臨み、通入球と通出球とを個々に検出するよう構成される。
【００１７】
このような球払出し部３５では、電源投入時の作動状態において、電磁ソレノイド３９の消磁(ＯＦＦ)により磁着部３９ａから解放された垂下状態の規制片４１が、球送り体３７を拘束した通常状態に付勢保持されている(図５参照)。従ってこの球送り体３７が、前記球貯留排出経路部４内に投入されて送出路４ｃから球入路２８に入っている球の最先行(最下端)を、受け部３８に受入れた状態で停止されていることにおいて、第１検出具４３がこの球を直接有検出する。一方、電磁ソレノイド３９の励磁(ＯＮ)により磁着部３９ａに吸着された規制片４１が傾動変化して球送り体３７を解放すると(図１１参照)、同球送り体３７が受けた１球の重みで回転して同球を放出することにおいて、第２検出具４４が放出球を直接有検出し、ソレノイド３９が消磁復帰されるようになっている。なお第１,第２検出具４３,４４は、ともに光学センサータイプが使用される例において、前記第２の制御回路装置２２側に接続される制御基板４５に配置された発光ダイオードと、回路基板４６に配置された受光ダイオードとが組とされている。ちなみに制御基板４５は、樋２７の外向き側に取着されて電磁ソレノイド３９を接続し、回路基板４６は、樋２７の内向き側に取着されて制御基板４５に接続されている(図４,図６および図８参照)。なお、球払出し部３５内での球詰り(判定)に対して、払出し用の電磁ソレノイド３９の作動により振動を発生させて球詰りを解消する制御として、例えば特願平１−２４９９７３号公報に開示の技術を採用可能である。また第２検出具４４の払出し球検出不良(故障)の判定処理の制御に関しては、例えば特願平１−２４９９７５号公報に開示の技術を採用し得る。更には、賞球(貯留球)の数量(検出間隔時間)に応じて球払出し速度を高速用モードと、低速用モードとに変更する制御に関しては、例えば特願平２−６７８９号公報や特願平５−２８５８２１号公報に開示の技術を採用することができる。
【００１８】
また、ケース体２６内に組込まれた前記切換え排出部４７は、賞球および貸し球と貯留球とを切換え排出するもので、図４〜図８に例示するように、前記仕切り板３４の外向き側に設置された電磁ソレノイド４８と、仕切り板３４の内向き側に支持されたレバー状の切換え弁５２を備えて、仕切り板単位で構成されてケース体２６内に組付けられている。電磁ソレノイド４８は、図示のリニアタイプが使用される例において、仕切り板３４に一体成形された支片３４ａに縦向きに設置されて、バネ５０で付勢されたロッド４９下端に連繋片５１が固着されている。これに対して切換え弁５２は、仕切り板３４の下部中央のボス部３４ｂに挿通支持された支軸５３内端に固定されて、前記払出し路３０と戻し路３１との連絡部分内に位置している。そして、支軸５３外端に固着された円形の回動盤５４の溝５４ａにロッド４９の連繋片５１が係合されているもとで、同ロッド４９の昇降変位に追従して回動盤５４および支軸５３の回動と共に切換え弁５２が各位置に切換え保持されるようになっている。なお電磁ソレノイド４８は、前記制御基板４５に接続される例とする。
【００１９】
このような切換え排出部４７では、電源投入時の作動前状態において、電磁ソレノイド４８の消磁(ＯＦＦ)により下降端位置のロッド４９に対して、切換え弁５２が戻し路３１を閉遮して払出し路３０を開放した通常の斜状払出し位置に保持されて、前記球払出し部３５から払出された球を払出し路３０側へ案内する。一方、電磁ソレノイド４８の励磁(ＯＮ)により上昇端位置のロッド４９に対して、切換え弁５２が傾動変化して払出し路３０を閉遮して戻し路３１を開放した起立戻し位置に保持されて、払出された球を戻し路３１側へ案内するようになっている。なお、切換え排出部４７に関連する操作手段については、図１に略示した前記機構セット盤Ｃにレバー１３およびスイッチ１４が配置使用される例において、レバー１３の操作によりスイッチ１４が検出(ＯＮ)することに応答して、前記切換え用のソレノイド４８と払出し用のソレノイド３９とが夫々設定時間に亘り励磁されるようになっている。ちなみにレバー１３は、前枠Ｂに形成された操作孔に挿入された針金状の操作具(共に図示しない)の押込みによる操作と、外枠Ａから開放した前枠Ｂの裏側で指先による操作との何れも可能にされている。
【００２０】
そして、前述のように構成された本実施例の賞球排出装置Ｆにおいて、不正球抜き獲得に係る防止対策技術については、ケース体２６内に切換え排出部４７を内蔵して球通路内に位置する切換え弁５２を不正に操作し得ないようにした上で、この切換え弁５２に案内防止片５５が着脱交換可能に取着されている。この案内防止片５５は、球の通出案内と不正操作部材の侵入防止とを図るもので、切換え弁５２の変化に対して無理なく撓み変形し得る１枚の薄肉弾性材(例えばＪIＳ規格の材質ＳＵＳ３０１−ＣＳＰＨの肉厚０.１ｍｍ位の素材)により球径と同等な幅を持つ帯状に成形されており、図８および図９に例示するように、上端部の両側に形成した係着片５５ａを折曲して切換え弁５２の両側に把持係着すると共に、片５５の中央部を切換え弁５２のボス部にビス着して、下半部を払出し路３０内に延出している。そしてこの案内防止片５５は、当初の段階においてはその下端を払出し路３０の出口側に形成された係止部５６に係止した状態でセットされる。このもとで、払出された球が払出し路３０から第１賞球路５に通出する際に、同片５５は球の重みおよび勢いを受けて撓み変形して係止部５６から外れ、以後は両路３０,５内に亘り斜状延出状態で保持される(図１１(ｂ)参照)。
【００２１】
ここで、本実施例のパチンコ機の各部に配設された電気部品類および前記賞球排出装置Ｆの電気部品類に係る入出力制御系統について付記すると、図１０に略示するように、前記第１の電子制御装置２１に遊技盤(図示しない)に配置されたスイッチ５７,５８等が接続されて、ゲームおよび賞球排出に係る制御処理がなされる。一方、前記第２の電子制御装置２２に、前記カードユニットＥのカードリーダ２３、インターフェースボード２４、球貸し操作用のスイッチ５９および貸し球用のスイッチ１１と、前記セーフ球検出処理装置Ｄのスイッチ１７および電磁ソレノイド１９と、前記球払出し部３５の電磁ソレノイド３９および第１,第２検出具４３,４４と、前記切換え排出部４７の電磁ソレノイド４８および球抜き用のスイッチ１４が夫々接続されて、貸し球と賞球との区分払出し、セーフ球検出処理、そして球抜きに係る夫々の制御処理がなされる。なお第２の電子制御装置２２では、球抜き用のスイッチ１４の１回の検出信号を有効入力して、球抜き指令により切換え用のソレノイド４８、次いで払出し用のソレノイド３９を各々の時間(例えば５０秒と４５秒)に亘り励磁し、そしてリセットスイッチ６０の入力条件で次の球抜き用検出信号を有効入力可能に設定されている。
【００２２】
【実施例の作用】
前述のように構成された本実施例のパチンコ機では、遊技ホール内の設置枠台にカードユニットＥと共に設置されて遊技に供し得る。そして、カードユニットＥに対するカードの挿入並びに機前側での球貸し操作により、機構セット盤Ｃの賞球排出装置Ｆから払出された貸し球を上球皿側へ給出して収容し得る。このもとで遊技操作(打球発射操作)を行なうことにより、機内の発射位置に１球ずつ送込まれた遊技球を遊技盤内に打出して所要のゲームを展開し得る。そうして、ゲーム中に発生したアウト球を機構セット盤Ｃの排出路２から機外へ排出し、またセーフ球を処理路３からセーフ球検出処理装置Ｄに導入して１球ずつ停留検出処理した後に機外へ排出する一方、このセーフ球の検出処理に対して賞球排出装置Ｆから設定数の賞球を払出して上球皿または下球皿へ給出するようになっている。そして、球抜き必要時の操作により球貯留排出経路部４内の貯留球を、賞球排出装置Ｆの解放状態で抜出して球抜き路９から機外へ排出することができる。
【００２３】
そこで、このようなパチンコ機に実施された本実施例の賞球排出装置Ｆにおける球排出作動状態について、各図を参照しながら説明する。先ず貸し球の払出しについては、貸し球用のスイッチ１１の球有り検出入力条件にあって、カードが挿入されて球貸し用のスイッチ５９が操作されたことに基づいて球払出し部３５が作動される。すなわち、同スイッチ５９の操作入力に対するカードリーダ２３，インターフェースボード２４および第２の電子制御装置２２間での制御処理および球貸し指令に基づいて、球払出し部３５が作動されて電磁ソレノイド３９の制御作動(励磁と消磁)および規制片４１の切換え、第１,第２検出具４３,４４の球有り検出入力並びに球送り体３７のピッチ回動により、所定数の球(例えば球貸し金額１００円に対して貸し球２５個)が１球ずつ払出されて、ケース体２６の払出し路３０から第１賞球路５へ排出され、供給口６から上球皿へ給出される。この貸し球の具体的な排出状態を図１１(ａ)および図１１(ｂ)で観ると、全ての貸し球は、球送り体３７の受け部３８から解放された以降、第２検出具４４でカウント検出されて払出し路３０に通入し、払出し位置に保持されている切換え弁５２上の案内防止片５５に沿って通出され、そして同片５５の下半部の弾性により勢いが適宜緩和されながら第１賞球路５へ排出される。
【００２４】
またセーフ球に対する賞球の払出しについては、図２および図３に示す前記セーフ球検出処理装置Ｄでのセーフ球検出毎に球払出し部３５が作動される。すなわち、前記処理路３から通路１６に通入して規制処理部材１８のストッパー１８ｂにより検出位置で停留されたセーフ球をスイッチ１７が検出した条件にあって、同検出入力に対する第２,第１の電子制御装置２１,２２間でのセーフ球信号と賞球信号との処理および払出し指令に基づいて、球払出し部３５が前述と同様な態様で作動されて(図１１(ａ)および図１１(ｂ)参照）、電磁ソレノイド３９の制御作動および規制片４１の切換えに従う球送り体３７のピッチ回動により、所定数の球(例えば５〜１５個の賞球)が１球ずつ払出されて、払出し路３０から切換え弁５２の案内防止片５５を介して第１賞球路５に通出され、供給口６から上球皿または第２賞球路７から下球皿へ給出される。そして、払出された所定数最後の賞球が第２検出具４４でカウント検出された時点に基づいて、当該回の払出し作動が終了されて電磁ソレノイド３９の消磁、規制片４１の復帰に従い球送り体３７が停止保持される。なお、払出し終了後セーフ球検出処理装置Ｄでは、第２の電子制御装置２２からのセーフ球解放指令に基づいて、電磁ソレノイド１９が１回作動(励磁と消磁)されることにより、規制処理部材１８の切換えに従い検出位置のセーフ球が解放されて機外へ排出され、次のセーフ球が検出位置に入って停止される(図３参照)。
【００２５】
一方貯留球の球抜きについては、球抜き操作に基づいて切換え排出部４７と球払出し部３５が順次作動される。すなわち、前記球抜き用のスイッチ１４が操作されたことにより、この検出入力に対する第２の電子制御装置２２での制御処理および球抜き指令に基づいて切換え排出部４７が切換え作動されて、電磁ソレノイド４８の励磁によるロッド４９の上昇と共に切換え弁５２が戻し位置に切換え保持される(図１２および図１３参照)。これに次いで(例えば１.５秒後)球払出し部３５が開放作動されて、電磁ソレノイド３９の励磁により規制片４１が磁着変位されて球送り体３７を解放する。この結果、同球送り体３７がケース体２６の球入路２８内の球を受けながら連続フリー回転するもとで、球貯留排出経路部４内の貯留球が、図１２および図１３に例示するように、１球ずつ払出し路３０に放出されて切換え弁５２で変向案内されながら戻し路３１に通出して球抜き路９から機外へ抜出される。そうして、設定時間経過後の球抜き指令終了時に、球払出し部３５が元状復帰されてソレノイド３９の消磁により、規制片４１が変位復帰して球送り体３７を停止保持する。これに次いで(例えば３.５秒後)切換え排出部４７が元状復帰されてソレノイド４８の消磁によりロッド４９の下降と共に切換え弁５２が元の払出し位置(図１１(ｂ)の位置)に保持される。
【００２６】
なお前述の球抜き作動では、球貯留排出経路部４内で多少の球流れ遅れが発生したとしても、双方のソレノイド３９,４８の励磁時間設定により全球を的確に抜出すことができる。そして球抜き後においては、補給設備の運転により新たな相当量の球が球タンク４ａ内に投入されることにより、球払出し部３５の球入路２８内の所定位置(球送り体３７の受止め位置)から球貯留排出経路部４内の全体に亘り通入(収容)されて、前述した貸し球,賞球の払出しが可能とされる。ちなみに、本実施例の賞球排出装置Ｆに係る第２の電子制御装置２２での別設定例として、球貸し操作信号は賞球払出し指令の終了後に入力可能とされ、また球抜き操作信号の入力以後は入力不可(無効)とされる。賞球払出し信号は、球貸し指令の終了以後に入力可能とされ、また球抜き操作信号の入力以後は入力不可(無効)とされる。また球抜き操作信号は、貸し球,賞球の払出し指令の終了以後に１回だけ有効入力可能とされる。
【００２７】
ところで本実施例の賞球排出装置Ｆでは、前述した球排出作動を行ない得ることの他に、装置特有の機能として球抜き操作により機外へ排出されるべき貯留球の不正獲得(上球皿側への抜出し)を防止し得るもので、この防止対策については、前枠Ｂの操作孔(共に図示しない)から挿入した操作杆により前記球抜き用のスイッチ１４を検出操作して切換え排出部４７を球抜き状態に保持し得ることにおいて、機前側での不正操作により不正物を供給口６から裏側へ侵入させて巧みに操っても、案内防止片５５で切換え弁５２を防御するようにしている。すなわち、案内防止片５５の具体的な防御態勢として、まず図１１(ｂ)に例示するように、払出し位置の切換え弁５２に対する案内防止片５５は、その下半部が払出し路３０内から第１賞球路５内の上端部に延出して払出し路３０の出口面を閉遮している。また図１３に例示するように、戻し位置の切換え弁５２に対する案内防止片５５は、その下半部がベース板２６Ａの区画壁２９の一部に当接して、第１賞球路５内の上端部に円弧状に延出して払出し路３０の出口面を実質的に閉遮しており、この案内防止片５５により払出し路３０内への不正物の侵入を防止した状態にある。
【００２８】
そこで前述した図１１(ｂ)に示す侵入防止状態において、不正球抜き操作前に線状の不正物６１を供給口６から第１賞球路５内に侵入させて払出し路３０側に挿入操作した場合、図１４のように不正物６１の上端が案内防止片５５の下半部に当接して突上げることになるため、同下半部が弾性変形してその下端を払出し路３０の出口端部に係止し、同路３０の出口面を閉遮したまま不正物６１のそれ以上の侵入を阻止する。これにより、同図のように切換え弁５２が払出し位置に拘束されたとしても、その後の不正球抜き操作により電磁ソレノイド４８が作動されることにより、その励磁力を受けた切換え弁５２が不正物６１の突上げ力に打勝って本来の戻し位置に強制的に切換え保持される。このため、球払出し部３５から放出された貯留球は、切換え弁５２で変向案内されて戻し路３１に通出され、払出し路３０には１球も通出されない。なおこの不正防止において、前記励磁力と突上げ力との関係により、切換え弁５２が万一払出し,戻しの中間位置(図１５(ａ)および図１５(ｂ)に示す位置)に拘束されるとしても、放出された貯留球は、切換え弁５２の上端に衝突してその落下勢力で切換え弁５２を戻し位置側に押開けて戻し路３１に通出することになる。
【００２９】
一方、前述した図１３に示す侵入防止状態において、予め供給口６から第１賞球路５内に侵入させた不正物６１を、不正球抜き操作後に払出し路３０側に挿入操作した場合、不正物６１が図１５(ａ)に例示するように、鈴６２の外周に沿って案内防止片５５の下半部の内側に入り込んで突上げることになるため、同下半部が弾性変形してその下端を払出し路３０の出口端部に係止して出口面を閉遮し、不正物６１の侵入を阻止する。これにより、同図のように戻し位置に保持された切換え弁５２が、案内防止片５５の変形分に相応して電磁ソレノイド４８の励磁力に抗して少し変位されるとしても、払出し位置には到底拘束されない。従って、この状態にあって既に球払出し部３５から放出されている貯留球は、図示のように切換え弁５２の上端に衝突しても払出し路３０へ通出されず、むしろその落下勢力で切換え弁５２を戻し位置に押開いて戻し路３１に通出することになる。具体的に観ると、不正物６１を無理に突上げたとしても案内防止片５５の弾性力で押返えされてしまい、また放出された貯留球の強い落下勢力と本来の電磁ソレノイド４８の励磁力との総合力により、切換え弁５２が突上げ力に打勝って戻し位置に戻される。
【００３０】
また前述の不正操作とは別の企てとして、例えば鈎部６１ａを形成した不正物６１を使用して供給口６から第１賞球路５内に侵入させて、図１５(ｂ)に略示するように第１賞球路５の斜状壁に沿って払出し路３０側に挿入操作した場合、不正物６１の鈎部６１ａが案内防止片５５の下半部を押下げながら払出し路３０の出口部に侵入し得たとしても、同図のように鈎部６１ａが払出し路３０の斜状区画壁２９に干渉し、また線状部分が案内防止片５５の下部に干渉して、それ以上の侵入が阻止されたまま案内防止片５５により不正物６１の動きが制限されることになる。これにより、図示のように戻し位置に切換えられた切換え弁５２が、不正物６１の鈎部６１ａで押されて電磁ソレノイド４８の励磁力に抗して少し変位されるとしても、払出し位置に拘束されない。従って、球払出し部３５から放出された貯留球は、切換え弁５２に衝突してその落下勢力で同弁５２を本来の戻し位置側へ押開いて戻し路３１に通出することになる。なお、この不正状態において不正物６１を引抜いた場合には、切換え弁５２は電磁ソレノイド４８の励磁力を受けて図１３に示す本来の戻し位置に保持される。
【００３１】
【発明の効果】
以上に説明した如く、本発明に係るパチンコ遊技機の貯留球不正獲得防止装置では、球払出し部の下部に装備した切換え排出部において、球皿側に連絡される払出し路と球抜き路側に連絡される戻し路との分岐連絡部位に組込んだ切換え弁の下部に、弾性変形可能な薄肉帯状の案内防止片を延出させた状態に取着した。そして、切換え弁が払出し位置に保持される場合には、前記案内防止片が払出し路内に臨んで払出し球を受けて通出案内し得る状態に保持され、また切換え弁が戻し位置に保持される場合には、案内防止片が払出し球に円弧状に延出して該払出し路の出口面を実質的に閉遮する。従って、本発明に係るパチンコ遊技機の貯留球不正獲得防止装置によれば、前枠の操作孔から挿入した操作杆により球抜き用のスイッチを検出操作して切換え排出部を球抜き状態に保持し得ることにおいて、機前側での不正操作により不正物を球皿側から裏側へ侵入させて巧みに操っても、前記案内防止片により払出し路内への該不正物の侵入が好適に防御されるから、球抜き操作時に本来の戻し位置に保持されるべき切換え弁を払出し位置に拘束保持させることが不可能となり、戻し球として抜出される貯留球の不正な獲得を防止し得る極めて有益な効果を奏する。
案内防止片として、弾性変形可能な薄肉帯状の部材を採用することで、案内防止片を切換え弁と一体的に取着しても、切換え弁の変化に対して無理なく撓み変形し得る。すなわち、切換え弁を戻し位置に保持した場合に、案内防止片の下半部が払出し路の壁に当接して撓み、この払出し路の壁に当接して撓んだ案内防止片の下半部は、賞球路の上端部に円弧状に延出して払出し路を塞ぐので、切換え弁の払出し位置だけでなく切換え片の戻し位置においても、案内防止片により払出し路への不正物の侵入を防止し得る。
【図面の簡単な説明】
【図１】カードユニットを併設したパチンコ機の背面図である。
【図２】パチンコ機裏側の機構セット盤に配設した球処理部の背面図である。
【図３】セーフ球検出処理装置を作動変化状態で示す正面図である。
【図４】本実施例の賞球排出装置を開蓋状態で示す正面図である。
【図５】本実施例の賞球排出装置を開蓋状態で示す縦断正面図である。
【図６】図４のＸ−Ｘ線における横断平面図である。
【図７】図４のＹ−Ｙ線における横断平面図である。
【図８】本実施例の賞球排出装置を分解状態で示す平面図である。
【図９】切換え弁と案内防止弁とを示す分解斜視図である。
【図１０】球処理部の制御系統のブロック図である。
【図１１】賞球排出装置を貸し球,賞球の払出し動作状態で示す説明図である。
【図１２】球処理部を球抜き状態で示す背面図である。
【図１３】賞球排出装置を貯留球の球抜き状態で示す説明図である。
【図１４】第１の不正球抜き獲得防止例の説明図である。
【図１５】第２および第３の不正球抜き獲得防止例の説明図である。
【符号の説明】
４ 球貯留排出経路部
９ 球抜き路
３０ 払出し路
３１ 戻し路
３５ 球払出し部
４７ 切換え排出部
５２ 切換え弁
５５ 案内防止片
６１ 不正物
５ 第１賞球路(賞球路)
２２ 第２電気制御装置(電気制御装置)
２６ ケース体
３４ 仕切り板
４８ 電磁ソレノイド
５５ａ 係着片
５６ 係止部
６２ 鈴
【図１】
0003837639.tif 000002
【図２】
0003837639.tif 000003
【図３】
0003837639.tif 000004
【図１０】
0003837639.tif 000005
【図４】
0003837639.tif 000006
【図５】
0003837639.tif 000007
【図６】
0003837639.tif 000008
【図７】
0003837639.tif 000009
【図８】
0003837639.tif 000010
【図９】
0003837639.tif 000011
【図１１】
0003837639.tif 000012
【図１４】
0003837639.tif 000013
【図１２】
0003837639.tif 000014
【図１３】
0003837639.tif 000015
【図１５】
0003837639.tif 000016